(57)【特許請求の範囲】
【請求項１】
画像入力装置が原稿画像を読み取って得た画像データに画像処理を施し、画像出力装置にて出力する際、上記画像データを画像表示装置に供給する画像処理装置であって、
上記画像表示装置に供給する上記画像データに、上記画像入力装置の色再現特性及び上記画像表示装置の表色再現特性に基づいた、第一色補正処理を施す第一色補正部と、
上記第一色補正処理が施された上記画像データに対して、上記画像出力装置の色再現特性及び上記画像表示装置の表色再現特性に基づいた、第二色補正処理を施す第二色補正部とを備え、
上記第一色補正部は、動作の要否の第一指示入力を受け付け、当該第一指示入力に従って上記第一色補正処理を実行するあるいは実行しないことを判断し、
上記第二色補正部は、動作の要否の第二指示入力を受け付け、当該第二指示入力に従って上記第二色補正処理を実行するあるいは実行しないことを判断し、
上記第一指示入力および上記第二指示入力の有無に基づいて、上記第一色補正処理が施された画像データ、及び、上記第二色補正処理が施された上記画像データの、上記画像表示装置への供給を制御することを特徴とする画像処理装置。
【請求項２】
上記第一指示入力は、上記画像入力装置から原稿を順次読み取る指示入力であり、
上記第二指示入力は、上記画像表示装置に上記画像データのプレビュー表示を行う指示入力であることを特徴とする請求項１に記載の画像処理装置。
【請求項３】
上記第一指示入力及び上記第二指示入力がなされない場合、上記第一色補正部及び上記第二色補正部はそれぞれ上記第一色補正処理および上記第二色補正処理を実行せず、上記画像出力装置での出力に応じた画像処理を施すことを特徴とする請求項１または２に記載の画像処理装置。
【請求項４】
上記画像出力装置は、画像印刷を実行する印刷装置であることを特徴とする請求項１から３のいずれか１項に記載の画像処理装置。
【請求項５】
上記第一色補正部は、マトリクス演算により、上記第一色補正処理を施すことを特徴とする請求項１から４のいずれか１項に記載の画像処理装置。
【請求項６】
上記第二色補正部は、上記印刷装置に供給される画像データに色補正を施す色補正処理部と兼用されることを特徴とする請求項４に記載の画像処理装置。
【請求項７】
請求項１から６のいずれか１項に記載の画像処理装置と、原稿画像を読み取る画像入力装置と、画像データを出力する画像出力装置と、画像データの表示を行う画像表示装置と、を備えることを特徴とする画像形成装置。
【請求項８】
画像入力装置が原稿画像を読み取って得た画像データに画像処理を施し、画像出力装置にて出力する際、上記画像データを画像表示装置に供給する画像処理方法であって、
上記画像表示装置に供給する上記画像データに、上記画像入力装置の色再現特性及び上記画像表示装置の表色再現特性に基づいた、第一色補正処理を施す第一色補正ステップと、
上記第一色補正処理が施された上記画像データに対して、上記画像出力装置の色再現特性及び上記画像表示装置の表色再現特性に基づいた、第二色補正処理を施す第二色補正ステップとを含み、
上記第一色補正ステップは、動作の要否の第一指示入力に応じて、当該第一指示入力に従って上記第一色補正処理を実行するあるいは実行しないことを判断し、
上記第二色補正ステップは、動作の要否の第二指示入力に応じて、当該第二指示入力に従って上記第二色補正処理を実行するあるいは実行しないことを判断し、
上記第一指示入力および上記第二指示入力の有無に基づいて、上記第一色補正処理が施された画像データ、及び、上記第二色補正処理が施された上記画像データの、上記画像表示装置への供給を制御することを特徴とする画像処理方法。
【請求項９】
請求項１から６のいずれか１項に記載の画像処理装置を動作させるための画像処理プログラムであって、コンピュータを上記画像処理装置の上記各部として機能させるための画像処理プログラム。
【請求項１０】
請求項９に記載の画像処理プログラムが記録されたコンピュータ読み取り可能な記録媒体。
【発明の詳細な説明】
【技術分野】
【０００１】
本発明は、入力画像データのサムネイルやプレビューの表示を行う画像処理装置、画像形成装置、画像処理方法、画像処理プログラム及びコンピュータ読み取り可能な記録媒体に関するものである。
【背景技術】
【０００２】
複写機や複合機などの画像形成装置において、原稿をスキャンし、コピー出力や送信出力等の出力を行う際、原稿種別やあざやかさ調整などの各種画質設定項目を選択した後、出力前に操作パネルに画像データをプレビュー表示させることがなされている。このようにプレビュー表示を行うことで、ユーザの意図する出力が得られるか否かを確認したり、出力のやり直しによる手間や、紙やトナーの無駄な消費を軽減したりすることができる。
【０００３】
コピー出力の画像データをプレビュー表示させる技術として、特許文献１に提案されている技術がある。特許文献１では、次の（１）から（３）を行うことで、出力画像とプレビュー画像の色味をマッチングさせる技術が提案されている。（１）ＹＭＣＫの出力画像データを３×４逆マスキングの補正回路に入力し、ＣＭＹの濃度情報に変換する。（２）逆対数変換の補正回路でＲＧＢ信号に変換して、モニタの色温度、モニタの発色特性及び照明光に基づく３×３マトリックスを用いてモニタの色補正を行う。（３）さらに、複数のγ値の補正データを選択してモニタに表示を行う。
【先行技術文献】
【特許文献】
【０００４】
【特許文献１】特開平９-３７０９３（１９９７年２月７日公開）
【発明の概要】
【発明が解決しようとする課題】
【０００５】
しかしながら、特許文献１に記載の技術では、ＹＭＣＫの出力画像データをＣＭＹの濃度情報に変換し、さらに、逆対数変換の補正回路でＲＧＢ信号に変換しているため、プレビュー表示まで処理時間がかかる。
【０００６】
また、特許文献１では、ＲＧＢデータを一旦ＣＭＹデータに変換し、ＣＭＹデータをさらにＣＭＹＫデータに変換し、その後、ＣＭＹＫデータをＣＭＹデータに変換してからＲＧＢデータに変換しており、つまり計４回の非線形変換を行っている。このように、プレビュー画像の作成までに複数の非線形変換が施されるため、プレビュー時の色再現性が低下する。
【０００７】
また、コピー出力のプレビュー画像、つまり、コピー出力用に画質調整処理された画像の確認はできるが、スキャンした原稿を確認することはできない。例えば、出力する原稿、原稿の天地方向、複数の原稿の順序等については、ユーザが設定した画質調整処理など複雑な処理を行うことなく確認できることが好ましい。しかし、特許文献１には、スキャンした原稿を確認するような処理については考慮されていない。
【０００８】
本発明は、上記の問題点に鑑みてなされたものであり、その目的は、画像出力を行う際、画像入力装置が読み取った原稿の確認のための表示及び、画像出力装置で出力する画像のプレビュー表示を、短時間で精度よく可能にする画像処理装置等を提供することである。
【課題を解決するための手段】
【０００９】
本発明の画像処理装置は、上記課題を解決するために、画像入力装置が原稿画像を読み取って得た画像データに画像処理を施し、画像出力装置にて出力する際、上記画像データを画像表示装置に供給する画像処理装置であって、上記画像表示装置に供給する上記画像データに、上記画像入力装置の色再現特性及び上記画像表示装置の表色再現特性に基づいた、第一色補正処理を施す第一色補正部と、上記第一色補正処理が施された上記画像データに対して、上記画像出力装置の色再現特性及び上記画像表示装置の表色再現特性に基づいた、第二色補正処理を施す第二色補正部とを備え、上記第一色補正処理が施された画像データ、及び、上記第二色補正処理が施された上記画像データを、上記画像表示装置に供給することを特徴としている。
【００１０】
上記構成によると、画像表示装置に供給される画像データには、画像入力装置の色再現特性及び画像表示装置の表色再現特性に基づいた第一色補正処理が施される。よって、画像表示装置にて表示される画像の色が画像入力装置にて読み取った原稿の画像の色に近くなるよう、つまり、これらの色の差が小さくなるよう、処理することができる。
【００１１】
さらに、上記構成によると、上記第一色補正処理が施された画像データに対して、画像出力装置の色再現特性及び画像表示装置の表色再現特性に基づいた、第二色補正処理が施される。よって、画像表示装置にて表示される画像の色が印刷される画像の色に近くなるよう、つまり、これらの色の差を小さくすることができる。
【００１２】
そして、第一色補正処理が施された画像データ、及び、上記第二色補正処理が施された上記画像データが、画像表示装置に供給される。よって、画像表示装置には、読み取った原稿に近い色の画像及び、画像出力装置での出力に近い色の画像が表示される。
【００１３】
そのため、第一色補正処理が施された画像データが画像表示装置にて表示されることで、ユーザは、画像入力装置が読み取った原稿が意図したものに間違い無いことを精度よく確認することができる。また、第一色補正処理は、画像入力装置の色再現特性及び画像表示装置の表色再現特性に基づくものであり、つまり、画像出力装置の色再現特性に基づく処理は施されていないため、短時間で原稿の画像の色に近い色の画像を、画像表示装置にて表示することができる。
【００１４】
また、第二色補正処理が施された画像データが画像表示装置にて表示されることで、ユーザは、出力物の画像を短時間で精度よく確認することができる。
【００１５】
このように、ユーザは、画像出力装置での出力前に、原稿の画像及び出力物の画像を短時間で精度よく確認できる。
【００１６】
ここで、本発明の画像処理装置では、上記画像出力装置は、画像印刷を実行する印刷装置であってもよい。上記画像出力装置が印刷装置であると、印刷前に、画像表示装置にて原稿の画像の色に近い色の画像及び印刷物の色に近い色の画像が表示される。よって、よって、ユーザは、印刷前に、原稿の画像及び印刷物の画像を精度よく確認できる。
【００１７】
また、本発明の画像処理装置では、上記構成に加え、上記第一色補正部は、マトリクス演算により、上記第一色補正処理を施してもよい。
【００１８】
色補正処理をルックアップテーブルを用いて行うと、色補正精度を向上させることができるが、メモリ容量が増加する。ここで、画像入力装置にて読み取った原稿の画像データを順次表示する場合、原稿の天地方向、順序、内容等が確認できればよい。よって、第一色補正部では、マトリクス係数を用いて、画像表示装置にて表示される画像の色が原稿の画像の色に近くなるよう第一色補正処理を行う。すなわち、本発明の上記構成によると、メモリ容量を抑え、原稿画像と画像表示装置に表示される画像との色差を小さくすることができる。
【００１９】
また、本発明の画像処理装置では、上記構成に加え、上記第一色補正部及び第二色補正部は、それぞれ、動作の要否の指示入力を受け付け、当該指示入力に従って上記補正処理を実行するあるいは実行しなくてもよい。
【００２０】
第一色補正部での第一色補正処理の動作と、第二色補正部での第二色補正処理の動作とが、それぞれ選択可能になる。つまり、ユーザは、第一色補正処理後の原稿に近い色の画像の表示、及び、第二補正処理後の印刷出力画像に近い色の画像の表示を、それぞれ選択でき、どちらか一方を表示させて確認してもよいし、どちらも表示させてもよいし、どちらも表示させなくてもよい。このように、上記構成によると、ユーザに対して使いやすい画像処理装置を提供することができる。
【００２１】
また、本発明の画像処理装置では、上記構成に加え、上記第二色補正部は、上記印刷装置に供給される画像データに色補正を施す色補正処理部と兼用されてもよい。
【００２２】
上記構成によると、画像処理装置に従来から備えられた色補正処理部を、第二色補正部として兼用することで、第二色補正処理を行う新たな回路は必要なく、装置の回路規模が大型化するのを抑制することができる。
【００２３】
本発明の画像形成装置は、上記課題を解決するために、上記いずれかに記載の画像処理装置と、原稿画像を読み取る画像入力装置と、画像データを出力する画像出力装置と、画像データの表示を行う画像表示装置と、を備えることを特徴とする。
【００２４】
上記構成によると、画像表示装置に、原稿の画像の色との差を小さくした画像を短時間で表示でき、かつ、出力物の画像の色との差を小さくした画像を、短時間で表示することができる。このように、ユーザが、画像出力装置での出力前に、原稿の画像の色味に近い画像及び出力物の色味に近い画像を、短時間で精度よく確認できる画像形成装置を提供することができる。
【００２５】
本発明の画像処理方法は、上記課題を解決するために、画像入力装置が原稿画像を読み取って得た画像データに画像処理を施し、画像出力装置にて出力する際、上記画像データを画像表示装置に供給する画像処理方法であって、上記画像表示装置に供給する上記画像データに、上記画像入力装置の色再現特性及び上記画像表示装置の表色再現特性に基づいた、第一色補正処理を施す第一色補正ステップと、上記第一色補正処理が施された上記画像データに対して、上記画像出力装置の色再現特性及び上記画像表示装置の表色再現特性に基づいた、第二色補正処理を施す第二色補正ステップとを含み、上記第一色補正処理が施された画像データ、及び、上記第二色補正処理が施された上記画像データを、上記画像表示装置に供給することを特徴としている。
【００２６】
上記方法によると、上記画像処理装置と同様の効果を奏し、原稿の画像の色と画像表示装置にて表示される画像の色との差を小さくし、かつ、出力物の画像の色と画像表示装置にて表示される画像の色との差を小さくする、画像処理方法を提供することができる。
【００２７】
第一色補正処理が施された画像データが画像表示装置に表示されることで、ユーザは、画像入力装置が読み取った原稿が意図したものに間違い無いことを精度よく確認することができる。また、第一色補正処理は、画像入力装置の色再現特性及び画像表示装置の表色再現特性に基づくものであり、つまり、画像出力装置の色再現特性に基づく処理は施されていないため、短時間で原稿の画像の色に近い色の画像を、画像表示装置にて表示することができる。
【００２８】
また、第二色補正処理が施された画像データが画像表示装置に表示されることで、ユーザは、出力物の画像を短時間で精度よく確認することができる。
【００２９】
このように、上記方法によると、ユーザは、画像出力装置での出力前に、原稿の画像及び出力物の画像を短時間で精度よく確認できる。
【００３０】
また、本発明の画像処理装置は、コンピュータによって実現してもよく、この場合には、コンピュータを上記画像処理装置における上記各部として動作させることにより上記画像処理装置をコンピュータにて実現させる画像処理プログラム、及びその画像処理プログラムを記録したコンピュータ読み取り可能な記録媒体も、本発明の範疇に入る。
【００３１】
これらの構成によれば、上記画像処理プログラムを、コンピュータに読み取り実行させることによって、上記画像処理装置と同一の作用効果を実現することができる。
【発明の効果】
【００３２】
本発明に係る画像処理装置は、以上のように、上記画像表示装置に供給する上記画像データに、上記画像入力装置の色再現特性及び上記画像表示装置の表色再現特性に基づいた、第一色補正処理を施す第一色補正部と、上記第一色補正処理が施された上記画像データに対して、上記画像出力装置の色再現特性及び上記画像表示装置の表色再現特性に基づいた、第二色補正処理を施す第二色補正部とを備え、上記第一色補正処理が施された画像データ、及び、上記第二色補正処理が施された上記画像データを、上記画像表示装置に供給する。
【００３３】
上記構成によると、画像表示装置に供給される画像データには、画像入力装置の色再現特性及び画像表示装置の表色再現特性に基づいた第一色補正処理が施される。よって、画像表示装置にて表示される画像の色が画像入力装置にて読み取った原稿の画像の色に近くなるよう、つまり、これらの色の差が小さくなるよう、処理することができる。
【００３４】
さらに、上記構成によると、上記第一色補正処理が施された画像データに対して、画像出力装置の色再現特性及び画像表示装置の表色再現特性に基づいた、第二色補正処理が施される。よって、画像表示装置にて表示される画像の色が印刷される画像の色に近くなるよう、つまり、これらの色の差を小さくすることができる。
【００３５】
そして、第一色補正処理が施された画像データ、及び、上記第二色補正処理が施された上記画像データが、画像表示装置に供給される。よって、画像表示装置には、読み取った原稿に近い色の画像及び、画像出力装置での出力に近い色の画像が表示される。
【００３６】
そのため、第一色補正処理が施された画像データが画像表示装置にて表示されることで、ユーザは、画像入力装置が読み取った原稿が意図したものに間違い無いことを精度よく確認することができる。また、第一色補正処理は、画像入力装置の色再現特性及び画像表示装置の表色再現特性に基づくものであり、つまり、画像出力装置の色再現特性に基づく処理は施されていないため、短時間で原稿の画像の色に近い色の画像を、画像表示装置にて表示することができる。
【００３７】
また、第二色補正処理が施された画像データが画像表示装置にて表示されることで、ユーザは、出力物の画像を短時間で精度よく確認することができる。
【００３８】
このように、ユーザは、画像出力装置での出力前に、原稿の画像及び出力物の画像を短時間で精度よく確認できる。
【図面の簡単な説明】
【００３９】
【図１】本実施形態の画像処理装置を示したブロック図であり、（ａ）は、第一色補正処理後に画像表示装置にて表示する際のデータの流れ、（ｂ）は、第二色補正処理後に画像表示装置にて表示する際のデータの流れを示す。
【図２】上記画像処理装置が備えたガンマ補正部が用いる画像表示装置の特性に合わせたガンマ曲線の一例を一示す図である。
【図３】上記画像処理装置の処理手順を示したフローチャートである。
【図４】本実施形態の画像形成装置が有する操作パネルでの初期画面の一例を示す図である。
【図５】上記操作パネルでのプレビュー表示の設定画面の一例を示す図である。
【図６】本実施形態の画像形成装置を示したブロック図であり、コピアモード且つフルカラーモードにて印刷処理を行う際の画像データの流れを示したブロック図である。
【図７】（ａ）は、コピアモード且つシングルカラーモードにて印刷処理が行われる際の上記画像処理装置内の一部を示したブロック図であり、（ｂ）は、コピアモード且つ２色カラーモードにて印刷処理が行われる際の上記画像処理装置内の一部を示したブロック図である。
【図８】上記画像形成装置を示したブロック図であり、コピアモード且つフルカラーモードにてプレビュー表示処理を行う際の画像データの流れを示したブロック図である。
【図９】（ａ）は、コピアモード且つシングルカラーモードにてプレビュー表示が行われる際の上記画像処理装置内の一部を示したブロック図であり、（ｂ）は、コピアモード且つ２色カラーモードにてプレビュー表示が行われる際の上記画像処理装置内の一部を示したブロック図である。
【図１０】（ａ）は、上記画像処理装置が備えた出力階調補正部が用いる画像表示装置の表示特性に応じたガンマ曲線の一例を示した図である。（ｂ）は、文字をくっきりと表示させるためのガンマ曲線を実線で示し、画像表示装置の表示特性に応じたガンマ曲線を破線で示した図である。
【図１１】コピアモード且つフルカラーモードが選択されている場合の上記画像形成装置の処理手順を示したフローチャートである。
【図１２】本実施形態の画像形成装置の変形例を示したブロック図である。
【発明を実施するための形態】
【００４０】
（画像処理装置）
本発明の画像処理装置の一形態について図に基づいて説明する。図１は、本実施形態の画像処理装置１の主要構成を示すブロック図である。画像処理装置１は、画像入力装置２が原稿画像を読み取って得た画像データに対して、画像処理を施し、画像を出力する画像出力装置３に供給する。そして、画像出力装置３にて画像出力する際に、画像処理装置１が画像表示装置４にも画像データを供給し、画像を表示する。ここでは、画像処理装置１が画像表示装置４にて画像を表示させる際の構成及び処理について説明する。その他の構成及び処理については、後述の画像形成装置の説明内にて説明する。
【００４１】
図１に示すように、画像処理装置１は、第一色補正部１１、ガンマ補正部１２、解像度変換部１３、第二色補正部１４を備えている。ここで、図１（ａ）は、画像データを原稿に近い色（色味）に色変換して、画像表示装置４に供給する際のデータの流れを示すブロック図である。図１（ｂ）は、画像データを出力データに近い色（色味）に変換し、画像データを画像表示装置４に表示する際のデータの流れを示すブロック図である。
【００４２】
画像入力装置２は、原稿を読み取り、ＲＧＢ信号からなる画像データを生成する画像読取手段である。画像入力装置２は、例えば、ＣＣＤ（Charge Coupled Device）を備えたスキャナにより構成される。
【００４３】
第一色補正部１１は、原稿をスキャンして得られる画像データのＲＧＢ信号を入力として、原稿の色味に近くなるようにＲＧＢ信号の値を変換する（第一色変換処理）。入力のＲＧＢ信号は、画像入力装置２（スキャナ）の色空間に適合しているデータである。第一色補正部１１は、このＲＧＢ信号を画像表示装置４の色空間に適合するＲＧＢの画像データへ変換する処理を行う。この変換処理は、下記の式１によってマトリクス演算を行う。
【００４４】
【数１】
0005752390.tif 000002
【００４５】
画像入力装置２がカラー用である場合、カラーチャート原稿の各色パッチを画像入力装置２で読み取ってＲＧＢデータを求める。さらに、画像入力装置２で読み取ったカラーチャート原稿の各パッチを画像表示装置４に表示して測色器で測色してＲ’Ｇ’Ｂ’値を求める。このようにして得たＲＧＢ値とＲ’Ｇ’Ｂ’値を基に、両者を対応付けるための係数をニューラルネットワークやマスキング演算係数決定法により求める。なお、画像表示装置４は、事前にＬ＊ａ＊ｂ＊値に基づく基準色を表示して測色し、カラーキャリブレーションを行っておくのが好ましい。
【００４６】
あるいは、カラーチャート原稿の各色パッチを画像入力装置２で読み取って得られたＲＧＢデータに対応するＬ＊ａ＊ｂ＊値を求める。これとともに、読み取ったカラーチャート原稿の各パッチを画像表示装置４に表示して測色器で測色してＬ＊’ａ＊’ｂ＊’値を求める。このようにして得たＬ＊ａ＊ｂ＊値とＬ＊’ａ＊’ｂ＊’値を基に、両者を対応付けるための係数をニューラルネットワークやマスキング演算係数決定法により求めるようにしてもよい。上記の式１の係数値としては、例えば下記の値を用いることができる。
【００４７】
【数２】
0005752390.tif 000003
【００４８】
ガンマ補正部１２は、画像表示装置４の特性に合わせて、画像データのＲＧＢ信号に対してガンマ補正を行う。図２に入力のＲＧＢ信号と出力のＲＧＢを対応付けたガンマ曲線を示す。ガンマ曲線のガンマ値は、画像表示装置４のガンマ値を考慮して設定する。例えば、画像表示装置４のガンマ値が２.２であれば、ガンマ補正部１２において、２.２の逆数である０.４５のガンマ値のガンマ曲線で補正を行う。
【００４９】
解像度変換部１３は、画像表示装置４での画像データの表示を短時間で行うため、画像入力装置２で形成された画像データの解像度（例えば、１２００ｄｐｉ、６００ｄｐｉ等）と画像表示装置４の解像度（例えば、１５０ｄｐｉ、７５ｄｐｉ等）とが異なる場合に、画像データの解像度を下げる処理を行う。解像度の変換は、例えば、バイリニア法を用いる。
【００５０】
バイリニア法は、変換前の複数の画素の重み付き平均値を、変換後の画素値とすることにより、解像度を下げた画像を作成する方法である。本実施形態では、変換後の解像度は、例えば、７５ｄｐｉ×７５ｄｐｉとする。この場合、入力画像の解像度が６００ｄｐｉ×６００ｄｐｉであれば、バイリニア法で１／８の解像度に変換する。
【００５１】
解像度変換後の画像データは、画像表示装置４に送られ、原稿に近い色味のデータとして表示される。また、記憶装置５にも格納される。
【００５２】
第二色補正部１４は、図１（ｂ）に示すように、記憶装置５から読み出された画像データのＲＧＢ信号に対して、画像出力装置３での実際の出力物（出力画像）の色味に近くなるように色味を変換する（第二色変換処理）。変換方法は、第二色補正部１４に入力されるＲＧＢ信号それぞれの値と、画像表示装置４に表示した際に、実際の出力物に近い色味で表示されるＲＧＢ信号それぞれの値とを対応付けたＬＵＴ（ルックアップテーブル）を作成し、作成したＬＵＴから出力値をルックアップすることによって実現される。色味を変換された画像データは、画像表示装置４に供給され、出力物の色味に近い色味のデータとして表示される。
【００５３】
なお、出力のためのプレビュー表示の際に、第二色補正部１４で補正する画像データは、第１色補正処理、ガンマ補正処理、及び解像度変換処理が施されたデータである。
【００５４】
第二色補正部１４での処理は、具体的には、下記のように行う。カラーチャート原稿の各色パッチを画像入力装置２で読み取り、第一色補正処理及びガンマ補正処理を施したＲ’Ｇ’Ｂ’値を画像表示装置４に表示し、測色器で測色してＬ＊’ａ＊’ｂ＊’値を求める。カラーチャート原稿の各色パッチを画像入力装置２で読み取って画像出力装置３にて印刷出力し、印刷出力された各色パッチを測色器で測色し、Ｌ＊’’ａ＊’’ｂ＊’’値を求める。上記で求めたＬ＊’ａ＊’ｂ＊’値とＲ’Ｇ’Ｂ’値との対応を基に、Ｌ＊’’ａ＊’’ｂ＊’’値に対応するＲ’’Ｇ’’Ｂ’’値を求める。Ｒ’Ｇ’Ｂ’値とＲ’’Ｇ’’Ｂ’’値を基に、両者を対応付けるＬＵＴをニューラルネットワークやマスキング演算係数決定法により作成する。
【００５５】
画像表示装置４は、画像データのカラー表示が可能なディスプレイ（モニタ）であり、例えば、液晶ディスプレイにより構成される。
【００５６】
画像出力装置３は、印刷、ファイリング、あるいは、送信（e-mail送信、ファクシミリ送信）において、各処理に対応した出力を行う装置である。例えば、印刷の場合は、電子写真方式またはインクジェット方式を用いたカラープリンタ（印刷装置）であり、ファイリングの場合はデータの記録が可能なハードディスクであり、送信（e-mail送信、ファクシミリ送信）の場合は、電話回線またはインターネットに接続し、外部装置へ画像データの送信を行う装置である。
【００５７】
図３に、画像処理装置１における処理の流れのフローチャートを示す。最初に、プレビュー判定記号Ｐの値を０にしておく（ステップＳ１）。次に、ユーザからの出力物をプレビュー表示するための出力プレビュー表示の指示入力があるかを判定する。本実施形態では、画像処理装置１を備えた画像形成装置１００は、出力プレビュー表示を行うか否かをユーザが選択可能に構成されているものとする。ユーザは、例えば、図４に示す画像形成装置１００が有する操作パネルの初期画面において、プレビューボタン４０１を選択し、そこから遷移する図５に示すプレビュー表示の設定画面において、オンボタン５０１を選択し押圧（タッチ）することで、画像処理装置１に対して出力プレビュー表示を指示する入力を行うことができる。また、ユーザは、プレビュー表示の設定画面においてオフボタン５０２を選択することで、画像処理装置１に対して出力プレビュー表示をしない指示を入力することができる。また、ユーザは、初期画面においてプレビューボタン４０１を選択しないことで、出力プレビュー表示をしないようにすることができる。
【００５８】
ユーザが設定画面においてプレビューボタン４０１を選択しない場合、あるいは、プレビュー表示の設定画面においてオフボタン５０２を選択した場合、つまり、出力プレビュー表示の指示入力が無い場合（Ｓ２においてＮＯ）、プレビュー判定記号Ｐの値を１とする（Ｓ３）。ユーザが出力プレビュー表示を選択した場合、つまり、出力プレビュー表示の指示入力がある場合（Ｓ２においてＹＥＳ）、プレビュー判定記号Ｐの値は０のまま、次に進む。
【００５９】
次に、ユーザからのスキャンインの指示があるかを判定する（Ｓ４）。本実施形態では、画像処理装置１を備えた画像形成装置１００は、スキャンイン行うか否かをユーザが選択可能に構成されている。ユーザは、例えば、図４に示す画像形成装置１００が有する操作パネルの初期画面において、スキャンインボタン４０２を押圧することでスキャンインを選択して入力する。
【００６０】
スキャンインの指示入力があった場合（Ｓ４においてＹＥＳ）、次に、プレビュー判定記号Ｐ＝１であるかを判定する（Ｓ５）。
【００６１】
Ｐ＝１でない場合（Ｓ５においてＮＯ）は、原稿基準画像と、出力基準画像の両方を表示すると判定する。ここで、原稿基準画像とは、原稿に近い色味に変換された画像データのことであり、出力基準画像とは、出力物に近い色味に変換された画像データのことである。そして、原稿に近い色味に色変換処理を施した原稿基準画像を作成し（Ｓ６）、出力物に近い色味に色変換処理を施した出力基準画像を作成し（Ｓ７）、原稿基準画像、出力基準画像の順で、画像データが表示する（Ｓ８）。
【００６２】
スキャンインの指示入力があった場合（Ｓ４においてＹＥＳ）、かつ、プレビュー判定記号Ｐ＝１である場合（Ｓ５においてＹＥＳ）は、原稿基準画像のみを表示すると判定し、原稿に近い色味に色変換処理を施した原稿基準画像を作成し（Ｓ９）、原稿基準画像を表示する（Ｓ１０）。
【００６３】
スキャンインの指示入力がない場合（Ｓ４においてＮＯ）にも、プレビュー判定記号Ｐ＝１であるかを判定する（Ｓ１１）。この判定にてＰ＝１でない場合は（Ｓ１１においてＮＯ）、出力基準画像のみを表示すると判定し、出力物に近い色味に色変換処理を施した出力基準画像を作成し（Ｓ１２）、出力基準画像を表示する（Ｓ１３）。
【００６４】
Ｓ１１の判定にてＰ＝１である場合は（Ｓ１１においてＹＥＳ）、画像の表示は行わないと判定し、画像出力装置３での出力（印刷、送信等）に合わせた色補正処理を施し（Ｓ１４）、画像表示装置４での表示は行わない（Ｓ１５）。
【００６５】
ユーザが、スキャンインを選択すると、画像入力装置２のＡＤＦ等に置かれた原稿は順次読み込まれ（スキャンされ）、第一色補正、ガンマ補正、解像度変換処理が施され（原稿を表示して確認するための最低限の処理）、スキャンした順に、画像表示装置４に表示される。本実施形態では、この画像を原稿基準画像と称している。
【００６６】
ユーザは表示される原稿基準画像を見て、原稿の天地方向の修正、順序等を確認し、誤っている箇所があると訂正を行う。訂正する方法としては、画像表示装置４をタッチパネルで構成し、指やペンで入力する動作の軌跡を認識できるように構成しておき、次のように行えばよい。例えば、原稿の天地方向を変更する場合は、原稿が正しい方向（あるいは、ユーザが意図する方向）になるように、表示されている原稿を回転させたりすることで、原稿の順序が正しくなるように、対象となる原稿の位置を変更するように訂正すればよい。
【００６７】
また、ユーザは、この段階で、原稿を画像出力装置３で出力する際の条件設定（フルカラー、白黒、シングルカラー、２色カラーの設定、鮮やかさの設定、濃度の設定等）を行う。これらの条件設定を行い、スタートボタンを押すと、記憶装置５に格納されている画像データが読み出され、図１の復号部以降の処理が行われる。この時、ユーザによって、出力プレビュー表示を行うよう設定されている場合は、出力基準画像のプレビュー表示が行われる。
【００６８】
次に、図４に示す操作パネルの初期画面を基にユーザが行う各動作に対する処理を以下にまとめる。
【００６９】
ユーザが、操作パネルの初期画面において、出力プレビュー表示を行うようにプレビューをオンに設定し、スキャンインボタン４０２を押圧すると、読み込まれた原稿について原稿に近い色になるように色補正（第一色補正処理）され、順次、操作パネルに表示される。ユーザが、続いて、画像出力装置３での出力のためのスタートを指示するために、スタートボタンを押圧すると、設定された条件に基づく処理、出力物に近い色になるように色補正処理（第二色補正処理）が行われ、出力基準画像が操作パネルに表示される。
【００７０】
ユーザが、スキャンインボタン４０２を押圧せず、出力プレビュー表示の設定をオンにし、スタートボタンを押圧すると、出力物に近い色になるように色補正処理（第二色補正）が行われ、出力基準画像が表示される。
【００７１】
ユーザが、プレビュー表示の設定をオフにし、スキャンインボタン４０２を押圧すると、読み込まれた原稿に近い色になるよう色補正を行い、順次、原稿基準画像が表示される処理のみが行われる。
【００７２】
ユーザが、プレビュー表示の設定をオフにし、スタートボタンを押圧すると、原稿基準画像及び出力基準画像の表示を行うことなく出力処理（コピー、イメージ送信、ファクシミリ送信等）に対する画像処理が行われる。
【００７３】
（画像形成装置）
次に、本実施形態の画像処理装置１を備えた、本実施形態の画像形成装置の一形態について図に基づいて説明する。図５は、本実施形態の画像形成装置１００の概略構成を示すブロック図である。画像形成装置１００は、コピアモード、プリントモード、ファクシミリ送信モード、ファクシミリ受信モード、及びイメージ送信モードの中からいずれかのモードが選択されると、選択されたモードを実行するデジタルカラー複合機である。
【００７４】
コピアモード（複写モード）とは、画像データを読み込み（原稿を読み取って画像データを生成し）、この画像データの画像を用紙に印刷するモードを意味する。また、プリントモードとは、画像形成装置１００に接続されているＰＣ等の端末装置から送られてくる画像データの画像を用紙に印刷するモードを意味する。
【００７５】
ファクシミリ送信モードとは、原稿を読み取って得られる画像データを電話回線によって外部装置に送信する通常のファクシミリモードと、前記画像データをメールに添付してインターネットによって送信するインターネットファクシミリモードとを意味する。ファクシミリ受信モードとは、外部装置から画像データをファクシミリ受信装置にて受信し、受信した画像データの画像を用紙に印刷するモードを意味する。イメージ送信モードとは、（１）原稿を読み取って得られる画像データを電子メールに添付して指定されたアドレスへ送信するモード（scan to e-mailモード）、（２）原稿を読み取って得られる画像データをユーザにより指定されたフォルダに送信するモード（scan to ftpモード）、（３）原稿を読み取って得られる画像データを画像形成装置１００に装着されたＵＳＢメモリなどに送信するモード（scan to usbモード）を意味する。なお、本実施形態においては、画像処理の動作上から、ファクシミリ送信モードとイメージ送信モードとを上記のように分類している。しかし、モードの分類は上記に限定されない。
【００７６】
また、コピアモードまたはプリントモードが選択されている場合、ユーザは、白黒画像を出力する白黒モード，フルカラーの画像を出力するフルカラーモード，ユーザの所望する１色のみからなる単色画像を出力するシングルカラーモード，ユーザの所望する１色と黒色とからなる２色画像を出力する２色カラーモードのいずれかを選択できるようになっている。
【００７７】
例えば、コピアモードまたはプリントモードにおいて、ユーザがシングルカラーモードを選択した場合、上記単色画像が印刷されることになる。また、コピアモードまたはプリントモードにおいて、ユーザが２色カラーモードを選択した場合、上記２色画像の画像データが印刷される。なお、シングルカラーモードでは、ユーザは、Ｒ（赤），Ｇ（緑），Ｂ（青），Ｃ（シアン），Ｍ（マゼンタ），Ｙ（イエロー）の中から所望の色を１つ選択することになる。
【００７８】
また、２色カラーモードでは、画像データより有彩色を抽出して、抽出された有彩色をユーザが指定した色に変換する有彩色抽出モードと、ユーザが色を指定し、画像データにおいて指定された系統の色のみを指定色に変換する色指定モードとが備えられており、２色カラーモードを選択すると何れかが選択されるようになっている。有彩色抽出モードにおいて、指定色として赤を選択すると、有彩色として抽出された色が全て赤に変換され、無彩色は黒で表現される。一方、色指定モードにおいて、色変換を行う色として赤、指定色として赤を選択すると、赤系統の色として抽出された色は赤に変換され、それ以外の色（青や緑、無彩色など）は黒に変換される。指定色は、シングルカラーの場合と同様に、Ｒ（赤），Ｇ（緑），Ｂ（青），Ｃ（シアン），Ｍ（マゼンタ），Ｙ（イエロー）の中から所望の色が１つ選択される。
【００７９】
また、本実施形態では、コピアモードにおいて、自動判別モードを設定することが可能である。この自動判別モードが設定されている場合、画像形成装置１００は、複写対象がカラー原稿か白黒原稿であるかを判別する自動カラー判別処理（ＡＣＳ）を行い、カラー原稿と判別される場合は上記のフルカラーモードで出力処理を行い、白黒原稿と判別される場合は上記の白黒モードで出力処理を行うようになっている。
【００８０】
画像形成装置１００は、図５に示されるように、画像処理装置１、画像入力装置２、画像出力装置３、画像表示装置４、記憶装置５、受信装置６、送信装置７、制御部８を有している。
【００８１】
画像入力装置２は、コピアモード、ファクシミリ送信モード、イメージ送信モードにおいて、原稿を読み取り画像データを生成する画像読取手段である。より具体的に説明すると、画像入力装置２は、ＣＣＤ（Charge Coupled Device）を備えたスキャナ部を有し、原稿から反射してきた光を、ＲＧＢに色分解された電気信号（アナログの画像信号）に変換し、この電気信号を画像処理装置１に入力するものである。
【００８２】
なお、画像入力装置２は、上記のフルカラーモード，シングルカラーモード，２色カラーモードのいずれのモードが選択されている場合であっても、フルカラーにて原稿画像の読み取りを行う。また、画像入力装置２は、画像処理装置１において前述した自動カラー判別処理が行われる場合であってもフルカラーにて原稿画像の読み取りを行う。
【００８３】
画像処理装置１は、画像入力装置２にて原稿を読み取って得られた画像データ（画像信号）に対して、画像処理を施す集積回路であり、ＡＳＩＣ（Application specific integrated circuit）から構成される。画像処理装置１は、以下の構成を有するが、上記で図１を用いて説明した構成については、同じ番号を付し、上記で説明した内容については簡略する。画像処理装置１は、図５に示すように、Ａ／Ｄ（アナログ／デジタル）変換部２１、シェーディング補正部２２、入力処理部２３、原稿種別自動判別部２４、第一色補正部１１、ガンマ補正部１２、解像度変換部１３、領域分離処理部２５、圧縮部２６、領域分離信号圧縮部２７、復号部２８、領域分離信号復号部２９、画質調整部３０、２色化処理部３１、第二色補正部１４、黒生成／下色除去部３２、空間フィルタ部３３、変倍部３４、出力階調補正部３５、及び中間調生成部３６の各ブロックを有している。画像処理装置１に含まれる各ブロックの処理内容については後で詳述する。
【００８４】
なお、画像処理装置１は、コピアモード、ファクシミリ送信モード、イメージ送信モードにおいて、画像入力装置２から送られてきた画像データに画像処理を行う。プリントモードにおいて、端末装置から送信されてきた画像データに画像処理を行う。ファクシミリ受信モードにおいて、外部装置から受信した画像データに画像処理を行う。そして、画像処理装置１は、コピアモード、プリントモード、ファクシミリ受信モードにおいて、画像処理を施した画像データを画像出力装置３に送信し、ファクシミリ送信モードにおいて、画像処理を施した画像データを送信装置７に送信する。
【００８５】
また、画像処理装置１は、イメージ送信モードのscan to e-mailモードにおいて、画像処理を施した画像データをメール処理部（不図示）に送信し、scan to ftpモードにおいて、画像処理を施した画像データを所定のフォルダに送信し、scan to usbモードにおいて、画像処理を施した画像データを所定のＵＳＢメモリに送信する。
【００８６】
画像出力装置（プリンタ）３は、画像処理装置１から送られてきた画像データの画像を記録媒体（例えば紙等）に印刷（形成）するものである。画像出力装置３として、例えば、電子写真方式またはインクジェット方式を用いたカラープリンタを挙げることができる。なお、本実施形態においての「印刷」とは、プリントモードにおける印刷、コピアモードでの印刷、ファクシミリ受信モードでの印刷のいずれかを意味する。
【００８７】
画像表示装置４は、画像形成装置１００の操作パネル（不図示）に備えられている液晶ディスプレイであり、カラー画像の表示が可能な表示手段である。また、画像表示装置４は、タッチパネルに覆われており、画像形成装置１００の入力インターフェイスとしての機能を有している。つまり、画像表示装置４には、画像形成装置１００に対して各種コマンドの入力を行うためのＧＵＩ（グラフィカルユーザインターフェイス）や操作ガイドが表示される。
【００８８】
また、画像形成装置１００では、コピアモードにおいて、原稿を読み取った後、原稿に近い色味に変換された画像データを画像表示装置４に表示することが可能になっている。
【００８９】
また、画像形成装置１００では、コピアモードまたはファクシミリ受信モードにおいて、印刷実行前に、実際の印刷物に近い色味に変換された画像データを出力のプレビューとして画像表示装置４に表示することが可能になっている。さらに、画像形成装置１００では、ファクシミリ送信モードまたはイメージ送信モードにおける送信実行前において、送信対象となる画像のプレビューを画像表示装置４に表示することが可能になっている。
【００９０】
ここで、コピアモードまたはイメージ送信モードにおいて、フルカラーモードが選択されている場合はフルカラー画像のプレビューが表示され、シングルカラーモードが選択されている場合は単色画像のプレビューが表示され、２色カラーモードが選択されている場合は２色画像のプレビューが表示されるようになっている。
【００９１】
なお、画像表示装置４は、液晶ディスプレイに限定されるものではなく、液晶ディスプレイ以外の表示手段（例えば、有機ＥＬディスプレイ、プラズマディスプレイ等）であってもよい。
【００９２】
記憶装置５は、画像処理装置１にて扱われる画像データを一旦保存するためのメモリあるいはハードディスクである。
【００９３】
受信装置６は、電話回線またはインターネットに接続しており、ファクシミリ通信によって外部装置から画像データを受信する装置である。また、送信装置７は、電話回線またはインターネットに接続しており、画像入力装置２にて入力された画像データをファクシミリ通信によって外部装置へ送信する装置である。
【００９４】
制御部８は、ＣＰＵ（Central Processing Unit）あるいはＤＳＰ（Digital Signal Processor）等のプロセッサを含むコンピュータであり、画像形成装置１００に備えられる各種ハードウェアを統括的に制御するものである。また、制御部８は、画像形成装置１００に備えられる各ハードウェア間のデータ転送を制御する機能も有する。
【００９５】
次に、コピアモードにおいて、画像処理装置１の各ブロックにて実行される処理の内容を詳細に説明する。なお、本実施形態の画像処理装置１には、或るモードａが選択されている時は動作する一方で前記モードａとは異なるモードｂが選択されている時は動作しないようなブロックが存在する（モードａ、モードｂは、コピアモード、ファクシミリ送信モード、ファクシミリ受信モード、イメージ送信モードのいずれかである）。
【００９６】
また、画像処理装置１には、選択されているモードに応じて処理内容を変更するブロックも存在する。さらに、画像処理装置１には、選択されているモードが同じであっても、印刷用（送信用）の画像データの処理時は動作する一方でプレビュー用の画像データの処理時は動作しないようなブロックや、印刷用（送信用）の画像データの処理時とプレビュー用の画像データの処理時とで処理内容を変更するブロックが存在する。
【００９７】
そこで、以下では、画像処理装置１に含まれる各ブロックにて実行される処理の内容について、コピアモードついて説明すると共に、印刷処理時と画像データ表示時とで分けて説明する。
【００９８】
（１）コピアモードの印刷処理（画像印刷ジョブ）
以下では、図６に基づいて画像処理装置１について説明する。図６はコピアモード且つフルカラーモードにて印刷処理を行う際の画像処理装置１内の画像データの流れを示している。
【００９９】
Ａ／Ｄ（アナログ・デジタル）変換部２１は、画像入力装置２から送られてきたカラー画像信号（ＲＧＢアナログ信号）をデジタルの画像データ（ＲＧＢデジタル信号）に変換するブロックである。シェーディング補正部２２は、Ａ／Ｄ変換部２１から送られてきた画像データに対して、画像入力装置２の照明系、結像系、撮像系で生じる各種の歪みを取り除く処理を施すブロックである。入力処理部２３は、シェーディング補正部２２より送られてくるＲＧＢの画像データのそれぞれに対してγ補正処理などの階調変換処理（入力処理）を施すブロックである。
【０１００】
原稿種別自動判別部２４は、入力処理部２３にてγ補正等の処理がなされたＲＧＢの画像データ（ＲＧＢの濃度信号）に基づき、画像入力装置２にて読み取られた原稿の種別の判定を行う。ここで、判定される原稿の種別としては、文字原稿、印刷写真原稿、文字と印刷写真とが混在した文字印刷写真原稿等がある。また、原稿種別自動判別部２４は、上記画像データに基づき、読み取られた原稿がカラー原稿であるか白黒原稿であるのかの判別を行う処理である自動カラー判別処理（ＡＣＳ：Auto Color Selection）やブランク原稿であるか否か（無地の原稿であるか否か）の判定処理も行うことができる。なお、原稿種別自動判別部２４から出力されるＲＧＢの画像データは、領域分離処理部２５及び圧縮部２６に入力するようになっている。
【０１０１】
領域分離処理部２５は、原稿種別自動判別部２４から送られてくるＲＧＢの画像データに基づき、入力画像の画素毎に、当該画素がどのような画像領域に分類されるのかを判別し、この判別結果を示す領域分離信号を生成する処理を行う。ここで、領域分離処理部２５において判別される画像領域には、黒文字領域、色文字領域、網点領域等がある。なお、領域分離処理部２５は、画素毎に画像領域の判定を行う形態ではなく、複数の画素よりなるブロック毎に画像領域の判定が行われる形態であってもよい。
【０１０２】
圧縮部２６は、原稿種別自動判別部２４から送られてくる画像データ（ＲＧＢ信号）を符号化する処理を行うブロックである。なお、上記符号化は、例えばＪＰＥＧ（Joint Photographic Experts Group）方式に基づいて行われる。
【０１０３】
領域分離信号圧縮部２７は、画素毎に生成された領域分離信号に対して圧縮処理を施すブロックである。なお、領域分離信号圧縮部２７における圧縮処理は、例えば、可逆圧縮方法であるＭＭＲ（Modified Modified Reed）方式、ＭＲ（Modified Reed）方式に基づいて行われる。
【０１０４】
制御部８は、圧縮部２６から出力された符号化コード（符号化された画像データ）と領域分離信号圧縮部２７から出力された領域分離信号コード（圧縮された領域分離信号）とを一旦記憶装置５に保存し、ファイリングデータとして管理する。そして、制御部８は、コピー出力動作が指示された場合、記憶装置５から上記の符号化コード及び当該符号化コードに対応する領域分離信号コードを読み出し、復号部２８、領域分離信号復号部２９にそれぞれ引き渡す。
【０１０５】
なお、制御部８は、上記符号化コードの保存アドレスまたはデータ名と、領域分離信号コードの保存アドレスとを対応付けて管理テーブルに記入する。つまり、制御部８は、当該管理テーブルを用いて、符号化コード及び領域分離信号コードの読み出しまたは書き込みの制御を行っている。
【０１０６】
復号部２８は、上記符号化コードに対して復号化処理を施すことによって、上記符号化コードをＲＧＢの画像データに伸張する。また、領域分離信号復号部２９は、上記領域分離信号コードに対して復号化処理を施す。復号化した領域分離信号は、黒生成／下色除去部３２、空間フィルタ部３３、中間調生成部３６に引き渡される。そして、黒生成／下色除去部３２、空間フィルタ部３３、中間調生成部３６においては、画像領域の種類に応じて画像処理内容の切替えが行われる。
【０１０７】
画質調整部３０は、復号部２８から送られてくるＲＧＢの画像データについて、下地の検出を行って下地除去補正を行う。さらに、画質調整３０部は、ユーザによって操作パネル（不図示）から入力される設定情報に基づいて、ＲＧＢのバランス（カラー調整、赤み青みといった全体のカラー調整）、明るさ、鮮やかさの調整を行う。
【０１０８】
さらに、画質調整部３０は、シングルカラーモードが選択されている場合、ＲＧＢの画像データを、ＲＧＢの補色となるＣＭＹの画像データに変換する処理を行う。ここで、シングルカラーモードにおいてのＲＧＢの画像データからＣＭＹの画像データへの変換処理は、下記の式２を用いることによって実行される。なお、式２における係数ｒ１〜ｒ３は下記の表１に基づいて定められる。例えば、ユーザがシングルカラーモードにおいて所望の色としてシアンを選択している場合、下記の表１の「Ｃｙａｎ」の欄に属するｒ１〜ｒ３の値が参照され、ｒ１＝１，ｒ２＝０，ｒ３＝０が選択されることになる。
【０１０９】
【数３】
0005752390.tif 000004
【０１１０】
【表１】
0005752390.tif 000005
【０１１１】
つまり、フルカラーモードの場合の画質調整部３０からの出力は、図６に示されるように、ＲＧＢの画像データとなるところ、シングルカラーモードが選択されている場合の画質調整部３０からの出力は、図７（ａ）に示されるように、ＣＭＹの画像データとなる。なお、２色カラーモードが選択されている場合の画質調整部３０からの出力は、図７（ｂ）に示されるように、ＲＧＢの画像データとなる。なお、図７（ａ）は、コピアモード且つシングルカラーモードにて印刷処理が行われる際の画像処理装置１の一部のブロックを示したものである。図７（ｂ）は、コピアモード且つ２色カラーモードにて印刷処理が行われる際の画像処理装置１の一部のブロックを示したものである。
【０１１２】
また、画質調整部３０にて実行される鮮やかさの調整は、上記式２のマトリクスのｒ１〜ｒ３及びａ１〜ａ３の各値を変更した上で当該マトリクスを用いることによって実現可能である。それゆえ、上記の鮮やかさの調整と、シングルカラーモードにおける画像データの変換処理（ＲＧＢからＣＭＹへの変換）とについては、マトリクスを共用でき、画像処理回路を共用できる。よって、本実施形態では、上記の鮮やかさの調整と、シングルカラーモードにおける画像データの変換処理とが、同じ処理部（画質調整部３０）で行われるのである。
【０１１３】
２色化処理部３１は、２色カラーモードが選択されている場合、図７（ｂ）に示すように、画質調整部３０から出力されたＲＧＢの画像データをＣＭＹの画像データに変換する処理を行うブロックである。２色カラーモードにおいて、ＲＧＢの画像データは、上記した方法に基づいてＣＭＹの画像データに変換処理される。
【０１１４】
また、２色化処理部３１は、フルカラーモードが選択されている場合、図６に示されるように、画質調整部３０から出力されたＲＧＢの画像データに対して何も処理を行わず、当該画像データをそのまま第二色補正部１４へ引き渡す（スルーする）。さらに、２色化処理部３１は、シングルカラーモードが選択されている場合、図７（ａ）に示すように、画質調整部３０から出力されたＣＭＹの画像データに対して何も処理を行わず、当該画像データをそのまま第二色補正部１４へ引き渡す（スルーする）。
【０１１５】
第二色補正部１４は、フルカラーモードが選択されている場合、図６に示すように、２色化処理部３１から出力されるＲＧＢの画像データをＣＭＹの画像データに変換する色補正処理を行うと共に、当該画像データに対して色再現性を高める処理を施す色補正処理部としての機能を有するブロックである。なお、上記の色補正処理は、入力値（ＲＧＢ）と出力値（ＣＭＹ）とを対応付けたＬＵＴ（ルックアップテーブル）を作成し、作成したＬＵＴから出力値をルックアップすることによって実現される。つまり、本実施形態では、上記した第二色補正処理を施す第二色補正部１４は、画像出力装置３に供給される画像データに色補正を施す色補正処理部と兼用されている。
【０１１６】
また、第二色補正部１４は、シングルカラーモードまたは２色カラーモードが選択されている場合、図７（ａ）及び（ｂ）に示されるように、２色化処理部３１から出力されたＣＭＹの画像データに対して何も処理を行わず、当該画像データをそのまま黒生成／下色除去部３２へ引き渡す（スルーする）。
【０１１７】
黒生成／下色除去部３２は、フルカラーモードまたは２色カラーモードが選択されている場合、第二色補正部１４から出力されたＣＭＹの画像データから黒（Ｋ）の画像データを生成する黒生成を行う一方、元のＣＭＹの画像データから黒（Ｋ）の画像データを差し引いて新たなＣＭＹの画像データを生成する処理を行うブロックである。これにより、フルカラーモードまたは２色カラーモードが選択されている場合、図６及び図７（ｂ）に示されるように、ＣＭＹの画像データは黒生成／下色除去部３２によってＣＭＹＫの４色の画像データに変換される。
【０１１８】
また、黒生成／下色除去部３２は、シングルカラーモードが選択されている場合、図７（ａ）に示されるように、第二色補正部１４から出力されたＣＭＹの画像データに対して何も処理を行わず、当該画像データをそのまま後段の空間フィルタ部３３へ引き渡す（スルーする）。
【０１１９】
なお、フルカラーモードまたは２色カラーモードが選択されている場合、黒生成／下色除去部３２の出力、及び、黒生成／下色除去部３２よりも後段の各ブロックの入出力は、図６のように、ＣＭＹＫの画像データとなる。しかし、シングルカラーモードが選択されている場合、図７（ａ）に示されるように、黒生成／下色除去部３２の出力、及び、黒生成／下色除去部３２よりも後段の各ブロックの入出力は、図６とは異なり、ＣＭＹの画像データとなる。
【０１２０】
空間フィルタ部３３は、黒生成／下色除去部３２より出力されるＣＭＹＫまたはＣＭＹの画像データに対して、領域分離信号（領域識別信号）を基にデジタルフィルタによる空間フィルタ処理（強調処理、平滑化処理等）を行う。つまり、空間フィルタ部３３では、領域分離信号に基づいて、画像領域毎に異なる画像処理が実行される。
【０１２１】
変倍部３４は、操作パネル（不図示）を介してユーザによって入力される変倍コマンド（印刷画像の倍率を示した情報）に基づいて、画像の拡大や縮小処理を行うブロックである。
【０１２２】
出力階調補正部３５は、変倍部３４から出力された画像データに対して、用紙等の記録媒体に出力するための出力γ補正処理を行うブロックである。中間調生成部３６は、誤差拡散法やディザ法を用いて、画像出力装置３において画像を印刷するために必要な階調再現処理（中間調生成処理）を実行するものである。
【０１２３】
そして、中間調生成部３６から出力されるＣＭＹＫまたはＣＭＹの画像データは、画像出力装置３に引き渡され、画像出力装置３は、当該画像データの画像を記録媒体（例えば紙等）上に印刷する。
【０１２４】
（２）コピアモードでの画像データ表示
次に、コピアモードにて、原稿を読み取って得た画像データを、原稿に近い色味に変換して表示する場合、及び出力（印刷）に近い色味に変換して出力のプレビューとして表示する場合において、画像処理装置１の各ブロックにて実行される処理の内容を、図８に基づいて説明する。図８は、図６の画像形成装置１００と同じ画像形成装置１００を示すブロック図であり、コピアモード且つフルカラーモードにて画像表示を行う際の画像データの流れを示している。
【０１２５】
なお、Ａ／Ｄ（アナログ／デジタル）変換部２１、シェーディング補正部２２、入力処理部２３、原稿種別自動判別部２４、領域分離処理部２５、圧縮部２６、領域分離信号圧縮部２７、復号部２８、画質調整部３０、２色化処理部３１の処理については、上記したコピアモードでの印刷処理時と同じであるため、以下ではその説明を省略する。
【０１２６】
第一色補正部１１には、原稿種別自動判別部２４からのＲＧＢの画像データが入力される。なお、入力された画像データは、画像入力装置（スキャナ）２の色空間に適合しているデータである。そして、第一色補正部１１は、入力された画像データのＲＧＢ値を原稿に近い色味のＲＧＢ値に変換する処理を行い、ガンマ補正部１２に渡す。
【０１２７】
ガンマ補正部１２は、画像表示装置４の特性に合わせて、画像データのＲＧＢ値に対してガンマ補正を行い、解像度変換部１３に渡す。
【０１２８】
解像度変換部１３は、画像データのサイズを縮小し、画像の表示を高速化するため、画像データの解像度を下げる処理を行う。解像度変換部１３にて解像度を下げられた画像データは、図８に示すように、原稿に近い色味の画像（原稿基準画像）として、画像表示装置４に送られ、表示される。
【０１２９】
このように、画像表示装置４にて表示される原稿基準画像の色が、画像入力装置２で読み取った原稿の画像の色に近くなるよう、つまり、これらの色の差が小さくなるよう、処理することができる。そのため、ユーザは、画像表示装置４にて、画像入力装置２にて読み取った原稿が意図したものに間違い無いことを精度よく確認することができる。また、第一色補正部１１での色補正処理は、画像入力装置の色再現特性及び画像表示装置の表色再現特性に基づくものであり、つまり、画像出力装置３の色再現特性に基づく処理はされていないため、短時間で原稿の画像の色に近い色の原稿基準画像を、画像表示装置４にて表示することができる。
【０１３０】
また、解像度変換部１３にて解像度を下げられた画像データは、圧縮部２６にも送られる。
【０１３１】
出力（印刷）のプレビューとして画像（出力基準画像）を表示する際、領域分離信号復号部２９は、図８に示すように、復号化した領域分離信号を空間フィルタ部３３及び出力階調補正部３５に引き渡す。
【０１３２】
第二色補正部１４には、フルカラーモードにおいて、ＲＧＢの画像データが入力される。そして、第二色補正部１４は、この画像データのＲＧＢ値を出力（印刷）物に近い色味のＲ’Ｇ’Ｂ’値に変換する。この変換処理は、入力のＲＧＢ値と出力のＲ’Ｇ’Ｂ’値とを対応付けたＬＵＴを作成し、作成したＬＵＴから出力値をルックアップすることによって実現される。
【０１３３】
本実施形態では、フルカラーモードにおいて、印刷処理時におけるＲＧＢの画像データからＣＭＹＫの画像データへの変換処理と、画像データ表示時におけるＲＧＢの画像データの色味変換処理とについて、画像処理回路を共用している。
【０１３４】
ここで、図８は、図６と同様、フルカラーモードが選択されている場合の画像形成装置１００を示したものであり、第二色補正部１４は、フルカラーモードにおいて、ＲＧＢの画像データが入力されるようになっている。しかし、シングルカラーモードまたは２色カラーモードでは、図９（ａ）及び（ｂ）に示すように、第二色補正部１４はＣＭＹの画像データが入力されるようになっている。なお、図９（ａ）は、コピアモード且つシングルカラーモードにて出力のプレビュー表示処理が行われる際の、画像処理装置１の一部のブロックを示したものである。図９（ｂ）は、コピアモード且つ２色カラーモードにて出力のプレビュー表示処理が行われる際の、画像処理装置１の一部のブロックを示したものである。
【０１３５】
そして、第二色補正部１４は、シングルカラーモードまたは２色カラーモードでは、入力されたＣＭＹの画像データをＲ’Ｇ’Ｂ’の画像データに変換する処理を行う。つまり、第二色補正部１４印刷処理の印刷特性に適合したＣＭＹの画像データを出力物に近い色味のＲ’Ｇ’Ｂ’の画像データに変換する処理を行う。なお、ＣＭＹの画像データをＲ’Ｇ’Ｂ’の画像データに変換する処理も、入力のＣＭＹ値と出力のＲ’Ｇ’Ｂ’値とを対応付けたＬＵＴを作成し、作成したＬＵＴから出力値をルックアップすることによって実現される。
【０１３６】
黒生成／下色除去部３２は、図８，図９（ａ）及び（ｂ）に示すように、シングルカラーモード，２色カラーモード，フルカラーモードのいずれのモードであっても、第二色補正部１４から出力されたＲ’Ｇ’Ｂ’の画像データに対して何も処理を行わず、当該画像データをそのまま後段の空間フィルタ部３３へ引き渡す（スルーする）。
【０１３７】
空間フィルタ部３３は、黒生成／下色除去部３２より出力されたＲ’Ｇ’Ｂ’の画像データに対して、領域分離信号を基にデジタルフィルタによる空間フィルタ処理（強調処理、平滑化処理等）を行う。つまり、空間フィルタ部３３では、印刷処理時と同様、領域分離信号に基づいて、画像領域毎に異なる画像処理が実行される。
【０１３８】
変倍部３４は、空間フィルタ部３３から出力されたＲ’Ｇ’Ｂ’の画像データに対して、何も処理を行わず、当該画像データをそのまま後段の出力階調補正部３５へ引き渡す（スルーする）。なお、図８は、スキャンインの指示入力があり、原稿に近い色味に変換して画像表示装置４にて表示する場合を示しているため、第二色補正部１４に渡されるデータは、解像度変換部１３にて間引き処理されたデータである。よって、変倍部３４にて間引き処理を行う必要はなく、変倍部３４はスルーする。
【０１３９】
出力階調補正部３５は、変倍部３４から出力された画像データに対して、領域分離信号を基に出力γ補正処理を行う。より具体的に説明すると、出力階調補正部３５は、領域分離信号を基に、画像領域に応じて異なるガンマ曲線を選択し、画像領域毎に出力γ補正処理の内容を異ならせている。例えば、文字以外の領域に対しては、画像表示装置４の表示特性に応じたガンマ曲線が選択され、文字領域に対しては、文字をくっきりと表示させるためのガンマ曲線が選択される。ここで、図１０（ａ）は、画像表示装置４の表示特性に応じたガンマ曲線である。また、図１０（ｂ）の実線で示される曲線は文字をくっきりと表示させるためのガンマ曲線である。なお、図１０（ｂ）の破線は、画像表示装置４の表示特性に応じたガンマ曲線であり、文字をくっきりと表示させるためのガンマ曲線と比較するために図示したものである。
【０１４０】
なお、本実施形態では、出力階調補正部３５は、領域分離信号に基づいてガンマ曲線の選択を行っているが、領域分離信号による選択を行わず、図１０（ａ）のガンマ曲線のみを用いて出力階調補正を行うようにしてもよい。
【０１４１】
そして、中間調生成部３６は、出力階調補正部３５から出力されたＲ’Ｇ’Ｂ’の画像データに対して何も処理を行わず、当該画像データをそのまま後段の画像表示装置４へ引き渡す（スルーする）。これにより、画像表示装置４は、Ｒ’Ｇ’Ｂ’の画像データに基づいて、出力（印刷）のプレビューである出力基準画像を表示できる。
【０１４２】
このように、画像表示装置４にて表示される出力基準画像の色が画像出力装置３にて印刷される画像の色に近くなるよう、つまり、これらの色の差を小さくする。よって、画像出力装置３での印刷出力に近い色の出力基準画像が表示される。そのため、ユーザは、コピー（印刷）出力前に、出力物の画像を精度よく確認できる。
【０１４３】
なお、出力階調補正部３５において実行される出力γ補正処理は、中間調生成部３６において実行するようにしてもよい。
【０１４４】
以上では、コピアモードが選択された場合の、原稿に近い色味に変換した原稿基準画像を表示する処理、及び、出力（印刷）に近い色味に変換した出力基準画像を表示する処理について説明した。上記以外にも、例えば、ファックス送信モードあるいはイメージ送信モードが選択された場合に、つまり、原稿の読み込みを行う場合には、原稿に近い色味に変換した原稿基準画像を表示する処理を行ってもよい。
【０１４５】
また、イメージ送信モードが選択された場合には、イメージ送信での出力に近い色味に変換した出力基準画像を表示する処理を行ってもよい。この場合、例えば、一般的に広く使用されているｓＲＧＢ色空間のモニタに限定し、ｓＲＧＢ色空間におけるＲＧＢ値とＬ＊ａ＊ｂ＊値との対応と、画像表示装置４におけるＲ’Ｇ’Ｂ’値とＬ＊’ａ＊’ｂ＊’値との対応を基に、ＲＧＢ値とＲ’Ｇ’Ｂ’値を対応付けるＬＵＴを作成することで、イメージ送信する画像をｓＲＧＢ色空間のモニタで見た際の色味を画像表示装置４にて実現することができる。
【０１４６】
また、ファックス受信モードあるいはプリントモードの場合（原稿の読み込みがない場合）には、出力（印刷）に近い色味に変換した出力基準画像を表示する処理を行ってもよい。
【０１４７】
（３）コピアモードにおける処理の流れ
次に、コピアモード且つフルカラーモードが選択されている場合の処理の流れの一例を図１１に基づいて説明する。図１１は、コピアモード且つフルカラーモードが選択されている場合の、画像形成装置１００の処理手順の一例を示したフローチャートである。
【０１４８】
まず、画像形成装置１００は、コピアモードが選択され、スキャンインキーが押圧されたか（スキャンインの指示が入力されたか）を判定する（Ｓ２１）。スキャンインキーが押圧された場合はＳ２２〜Ｓ３１を実行し、スキャンインキーが押圧されていない場合はＳ３２〜Ｓ３７を実行する。以下では、まずＳ２２〜Ｓ３１について説明し、その後、Ｓ３２〜Ｓ３７について説明する。
【０１４９】
スキャンインキーが押圧されると（Ｓ２１にてＹＥＳ）、原稿をスキャンすることによって（Ｓ２２）、ＲＧＢのアナログ信号を生成する。なお、Ｓ２１のスキャンインキーを押す前に、ユーザは、プレビュー表示の要否を示す設定情報を入力することにより、画像形成装置１００に対してプレビュー表示の有無を設定しているものとする。
【０１５０】
Ｓ２２の後、画像形成装置１００は、ＲＧＢのアナログ信号をＲＧＢの画像データ（デジタル信号）に変換し（Ｓ２３）、上記画像データに対してシェーディング補正を施し（Ｓ２４）、シェーディング補正後のＲＧＢの画像データに対して入力γ補正処理等の入力処理を施す（Ｓ２５）。
【０１５１】
Ｓ２５の後、画像形成装置１００は、ＲＧＢの画像データに基づいて原稿種別判定処理及び領域分離処理を行い（Ｓ２６）、Ｓ２１にてスキャンインキーの押圧があったので、第１色補正処理（Ｓ２７）、ガンマ補正処理（Ｓ２８）、解像度変換処理（Ｓ２９）を行って、原稿に近い色味の画像データを形成する。そして、原稿に近い色味の画像（原稿基準画像）を表示する（Ｓ３０）。さらに、この画像データを記憶装置５に保存する（Ｓ３１）。
【０１５２】
Ｓ２１にてスキャンインキーが押圧されない場合（Ｓ２１にてＮＯ）、スタートキーが押圧されたか（スタートの指示が入力されたか）を判定する（Ｓ３２）。スタートキーが押さ圧されていない場合（Ｓ３２にてＮＯ）、Ｓ２１に戻る。スタートキーが押圧されると（Ｓ３２にてＹＥＳ）、Ｓ２２と同様に、原稿をスキャンすることによって（Ｓ３３）、ＲＧＢのアナログ信号を生成する。
【０１５３】
Ｓ３３の後、画像形成装置１００は、Ｓ２３〜Ｓ２５と同様に、ＲＧＢのアナログ信号をＲＧＢの画像データ（デジタル信号）に変換し（Ｓ３４）、上記画像データに対してシェーディング補正を施し（Ｓ３５）、シェーディング補正後のＲＧＢの画像データに対して入力γ補正処理等の入力処理を施す（Ｓ３６）。Ｓ３６の後、画像形成装置１００は、Ｓ２６と同様、ＲＧＢの画像データに基づいて原稿種別判定処理及び領域分離処理を行う（Ｓ３７）。そして、この画像データを記憶装置５に保存する（Ｓ３１）。
【０１５４】
Ｓ３１の後、画像形成装置１００は、プレビュー表示を行う設定がされているか否か（指示入力があったか否か）を判定し（Ｓ３８）、プレビュー表示を行う設定がされていない場合は（Ｓ３８にてＮＯ）、Ｓ３９〜Ｓ４６を実行し、プレビュー表示を行う設定がされている場合（Ｓ３８にてＹＥＳ）Ｓ４７〜Ｓ５３を実行する。以下では、まずＳ３９〜Ｓ４６について説明し、その後、Ｓ４７〜Ｓ５３について説明する。
【０１５５】
Ｓ３８にてプレビュー表示を行う設定がされていないと判定した場合（Ｓ３８にてＮＯ）、画像形成装置１００は、ＲＧＢの画像データを記憶装置５から読み出し、下地除去補正や鮮やかさの調整等の画質調整処理を行う（Ｓ３９）。その後、画像形成装置１００は、画像入力装置（スキャナ）２の特性に応じたＲＧＢの画像データを、画像出力装置（プリンタ）３の特性に応じたＣＭＹの画像データに変換し（Ｓ４０）、さらに、ＣＭＹの画像データをＣＭＹＫの画像データに変換する（Ｓ４１）。
【０１５６】
その後、画像形成装置１００は、領域分離処理の結果を基にＣＭＹＫの画像データに対して空間フィルタ処理を行い（Ｓ４２）、空間フィルタ処理後のＣＭＹＫの画像データに対して変倍処理を施す（Ｓ４３）。Ｓ４３の後、画像形成装置１００は、ＣＭＹＫの画像データに対して出力γ補正（出力階調補正）処理（Ｓ４４）及び階調再現処理を行い（Ｓ４５）、当該画像データの画像を用紙に印刷し（Ｓ４６）、処理を終了する。
【０１５７】
Ｓ３８においてプレビュー表示を行う設定がされていると判定した場合（Ｓ３８においてＹＥＳ）、画像形成装置１００は、ＲＧＢの画像データを記憶装置５から読み出し、Ｓ３９の画質調整処理と同じ画質調整処理を行う（Ｓ４７）。その後、画像形成装置１００は、画像入力装置（スキャナ）２の特性に応じたＲＧＢの画像データを、画像表示装置４の特性に応じたＲ’Ｇ’Ｂ’の画像データに変換する（Ｓ４８）。Ｓ１８の後、画像形成装置１００は、領域分離処理の結果を基にＲ’Ｇ’Ｂ’の画像データに対して空間フィルタ処理を行う（Ｓ４９）。そして、Ｓ２１でスキャンインの指示入力が無かった場合には、Ｒ’Ｇ’Ｂ’の画像データが画像表示装置４のディスプレイの解像度及びサイズに適合するものになるように当該Ｒ’Ｇ’Ｂ’の画像データに対して間引き処理を行う（Ｓ５０）。これは、スキャンインを行っていない場合には、解像度変換部１３での処理が行われない（解像度変換部１３を通らない）ため、変倍部３４にて間引き処理を行う必要があるからである。スキャンインを行った場合には、解像度変換部１３での処理が行われているため、Ｓ５０は飛ばして、Ｓ４９の次にＳ５１に進む。
【０１５８】
その後、画像形成装置１００は、領域分離処理の結果を基に、Ｒ’Ｇ’Ｂ’の画像データに対して出力γ補正（出力階調補正）処理を行う（Ｓ５１）。Ｓ５１の後、画像形成装置１００は、Ｒ’Ｇ’Ｂ’の画像データに基づいて出力基準画像の表示（出力プレビュー表示）を行う（Ｓ５２）。この出力基準画像は、出力（印刷）物に使い色味の画像となっている。
【０１５９】
そして、Ｓ５２の後、プリント許可を示すコマンドがユーザから入力されると（Ｓ５３にてＹＥＳ）、画像形成装置１００は、記憶装置５に記憶されているＲＧＢの画像データを再度読み出し、この画像データに基づいてＳ３９〜Ｓ４６の処理を実行して印刷を行う。これに対し、Ｓ５２の後、プリント取消を示すコマンドがユーザから入力される、あるいはプリント許可を示すコマンドがユーザから入力されないと（Ｓ５３にてＮＯ）、画像形成装置１００は処理を終了する。
【０１６０】
（１−４）変形例
図６に示した画像形成装置１００では、圧縮画像データ（符号化コード）と領域分離信号コードとを対応付けて記憶装置５に格納している。しかし、図１２に示す画像形成装置１００ａのように、画像入力装置２にて原稿を読み取って画像データを得た後、領域分離処理及び原稿種別判別処理を行う前に、読み取った画像データを符号化して一旦記憶装置５に格納しておき、記憶装置５から読み出して復号化した画像データについて原稿種別判別処理や領域分離処理を施すように構成してもよい。
【０１６１】
また、図６に示した画像形成装置１００や図１２に示す画像形成装置１００ａは、コピアモード・プリントモード・ファクシミリ送信モード・ファクシミリ受信モード・イメージ送信モード等のジョブの選択中に画像ファイリングモード（画像ファイリングジョブ）を実行可能としてもよい。この画像ファイリングモードとは、コピアモード等のジョブの選択中において、画像入力装置２にて得られた画像データまたは外部から受信した画像データに基づいて画像ファイル（ＪＰＥＧ、ＴＩＦＦファイル等）を作成し、この画像ファイルを記憶装置５に保存するモードである。
【０１６２】
ここで、画像ファイリングモードのファイリング時において、画像入力装置２にて得られた画像データまたは外部から受信した画像データは画像処理装置１にて画像ファイル（ＪＰＥＧ、ＴＩＦＦファイル等）に変換され、その後、不図示のファイリング処理部（ジョブ装置）に送られ、このファイリング処理部が上記画像ファイルを記憶装置５に保存する。
【０１６３】
また、各ジョブ（コピアモード・プリントモード・ファクシミリ送信モード等）の選択中においてプレビューを行う場合、画像ファイリングモードの実行の有無に拘わらず、画像入力装置２にて得られた画像データまたは外部から受信した画像データは画像処理装置１にて処理され、その後、画像表示装置４に送られる。さらに、各ジョブの選択中においてプレビューを行う場合、画像ファイリングモードの実行の有無に拘わらず、画像処理装置１にて実行される画像処理の内容は同一である。例えば、コピアモードにおける原稿に近い色味での表示時及び出力近い色味での表示時には、画像ファイリングモードの実行の有無に関係なく、画像処理装置１の処理内容は、図８及び図９（ａ），（ｂ）に示す処理となる。
【０１６４】
画像形成装置１００における、プリントモード、ファクシミリ送信モード、ファクシミリ受信モード、イメージ送信モードでの各処理については、説明を省略する。なお、上記したように、これらのモードにおいても、原稿の読み込みを行う場合には、原稿に近い色味に変換して表示する処理、及び出力（イメージ送信）に近い色味に変換して出力のプレビューとして表示する処理を行ってもよい。
【０１６５】
（プログラム・記録媒体）
本実施形態の画像処理装置１は、ハードウェアロジックによって構成してもよいし、次のようにＣＰＵを用いてソフトウェアによって実現してもよい。
【０１６６】
すなわち、画像処理装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアであるフィルタ係数の合成処理を行うプログラムのプログラムコード（実行形式プログラム、中間コードプログラム、ソースプログラム）をコンピュータで読み取り可能に記録した記録媒体を、画像処理装置１に供給し、そのコンピュータ（またはＣＰＵやＭＰＵ）が記録媒体に記録されているプログラムコードを読み出し実行することによっても、達成可能である。
【０１６７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６８】
また、画像処理装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１６９】
本発明は上述した各実施形態に限定されるものではなく、種々の変更が可能であり、上述した実施形態において開示された各技術的手段を適宜組み合わせて得られる実施形態についても本発明の技術的範囲に含まれる。
【産業上の利用可能性】
【０１７０】
本発明の画像処理装置は、画像データを取り扱うプレビュー表示可能な装置に用いることができ、複合機、複写機、ファクシミリに、特に好適である。
【符号の説明】
【０１７１】
１  画像処理装置
２  画像入力装置
３  画像出力装置
４  画像表示装置
５  記憶装置
６  受信装置
７  送信装置
８  制御部
１１  第一色補正部
１２  ガンマ補正部
１３  解像度変換部
１４  第二色補正部
【図１】
0005752390.tif 000006
【図２】
0005752390.tif 000007
【図３】
0005752390.tif 000008
【図４】
0005752390.tif 000009
【図５】
0005752390.tif 000010
【図６】
0005752390.tif 000011
【図７】
0005752390.tif 000012
【図８】
0005752390.tif 000013
【図９】
0005752390.tif 000014
【図１０】
0005752390.tif 000015
【図１１】
0005752390.tif 000016
【図１２】
0005752390.tif 000017